(57)【要約】【課題】良好な音圧と音質を得ることが可能なスピーカ装置を提供する。【解決手段】ボックススピーカ15の筐体の内部に２つの同一仕様のスピーカ19L,19Rを、各振動板が同一平面内で同じ向きになるよう配置し、各スピーカ19L,19Rの前側空間20L,20Rと後側空間（共鳴空間）25L,25Rとを隔離する。各スピーカ19Lと19Rとの間には隔壁21を設け、各スピーカ19L,19Rの前側空間20Lと20Rとを同容量で隔離し、後側空間25Lと25Rとを同容量で分割する。各スピーカ19L,19Rの前側空間20L,20Rを構成する壁面のうち、振動板の法線方向に垂直な方向に位置する壁面（正面板15F）に、前側空間20L,20Rをそれぞれ導音路として音波ＳＬ，ＳＲを放出する放音スリット15L,15Rを設ける。更にスピーカ19L,19Rそれぞれの後側空間25Lと25Rとを分割する隔壁21の一部に連通孔21hを設け、各後側空間25L,25Rを一部共有する共鳴空間とする。【選択図】      図４
2019057808.tif 000002
【特許請求の範囲】
【請求項１】
複数の出音要素と、前記複数の出音要素間に設けられた壁部と、前記複数の出音要素および前記壁部を収容する筐体と、を備え、
前記複数の出音要素は、前記筐体内において、各出音要素の前面が同じ向きを向くように収容され、
前記筐体内で前記各出音要素の前側に位置する各前側空間と、前記筐体内で前記各出音要素の後側に位置する各後側空間とは、互いに隔離されており、
前記複数の出音要素の各前側空間は、互いに隔離されており、
前記複数の出音要素の各後側空間は、前記壁部により互いに分割されるとともに、前記壁部に設けられた連通部により隣り合う後側空間同士が互いに連通されており、
前記複数の出音要素の各前側空間の一部を画定する前記筐体の壁面には、前記複数の出音要素の各前側空間と前記筐体の外部空間とを連通する第１放音部が設けられている、
ことを特徴とするスピーカ装置。
【請求項２】
前記壁部は、前記複数の出音要素に対応する各後側空間が互いに同じ容積になるように分割する位置に設けられている、
ことを特徴とする請求項１に記載のスピーカ装置。
【請求項３】
前記第１放音部は、前記複数の出音要素の各前側空間の一部を画定する前記筐体の壁面のうち、前記各出音要素の前面の法線方向に対し法線方向が交差する壁面に設けられており、
前記複数の出音要素から各前側空間へ出た音は、前記各出音要素の前面の法線方向と交差する方向へ導かれてから前記第１放音部より放たれる、
ことを特徴とする請求項１または請求項２に記載のスピーカ装置。
【請求項４】
請求項１ないし請求項３の何れか１項に記載のスピーカ装置を備えた機器。
【請求項５】
前記機器の筐体は、前記スピーカ装置から出た音を放つ第２放音部が設けられた放音領域を備え、
前記スピーカ装置は、当該スピーカ装置の前記第１放音部が、前記機器の筐体の前記放音領域に対向するように、前記機器の筐体内に配置される、
ことを特徴とする請求項４に記載のスピーカ装置を備えた機器。
【請求項６】
前記スピーカ装置は、前記機器の筐体内において、当該スピーカ装置の筐体の外面のうち前記第１放音部が設けられた部分を除くいずれかの部分が、前記機器の筐体の内面の一部に突き当てられることにより、位置合わせされている、
ことを特徴とする請求項５に記載のスピーカ装置を備えた機器。
【請求項７】
前記スピーカ装置は、前記機器の筐体内において、当該スピーカ装置の筐体の外面のうち前記第１放音部が設けられた部分を除くいずれかの部分が、前記機器の筐体の内面の一部に突き当てられることにより、当該スピーカ装置の前記第１放音部が設けられた面と、前記機器の筐体の放音領域のある筐体面との間に隙間が形成された状態が保持されるように、位置合わせされている、
ことを特徴とする請求項６に記載のスピーカ装置を備えた機器。
【発明の詳細な説明】
【技術分野】
【０００１】
本発明は、スピーカ装置およびスピーカ装置を備えた機器に関する。
【背景技術】
【０００２】
従来、複数のスピーカを、スピーカ筐体の一側面に対して、その各振動板の法線が互いに平行になるように並べて配置し、スピーカ筐体の前記各振動板の背面側に形成される共鳴空間を、スピーカ毎に隔壁を設けて隔離したスピーカ装置が考えられている（例えば、特許文献１参照。）。
【０００３】
また、複数のスピーカを、スピーカ筐体の内部に設けた音圧隔壁に並べて配置し、その各振動板の背面側で密閉される空間を各スピーカ間で連通する共鳴空間とし、また、各振動板の前面側から筐体側面の放音口に至る導音路も各スピーカ間で連通する導音空間として構成したスピーカ装置が考えられている（例えば、特許文献２参照。）。
【先行技術文献】
【特許文献】
【０００４】
【特許文献１】特許第５４０５４６１号公報
【特許文献２】特許第５２０３４０３号公報
【発明の概要】
【発明が解決しようとする課題】
【０００５】
本発明の目的は、良好な音圧と音質を得ることが可能なスピーカ装置およびスピーカ装置を備えた機器を提供することにある。
【課題を解決するための手段】
【０００６】
本発明に係るスピーカ装置は、複数の出音要素と、前記複数の出音要素間に設けられた壁部と、前記複数の出音要素および前記壁部を収容する筐体と、を備え、
前記複数の出音要素は、前記筐体内において、各出音要素の前面が同じ向きを向くように収容され、
前記筐体内で前記各出音要素の前側に位置する各前側空間と、前記筐体内で前記各出音要素の後側に位置する各後側空間とは、互いに隔離されており、
前記複数の出音要素の各前側空間は、互いに隔離されており、
前記複数の出音要素の各後側空間は、前記壁部により互いに分割されるとともに、前記壁部に設けられた連通部により隣り合う後側空間同士が互いに連通されており、
前記複数の出音要素の各前側空間の一部を画定する前記筐体の壁面には、前記複数の出音要素の各前側空間と前記筐体の外部空間とを連通する第１放音部が設けられている、
ことを特徴としている。
【図面の簡単な説明】
【０００７】
【図１】本発明の実施形態に係るスピーカ装置を備えた電子機器１０の外観の構成を示す図であり、同図（Ａ）は電子機器１０の完成した状態の正面図、同図（Ｂ）は電子機器１０のベゼル部品１６を外した状態の正面図。
【図２】前記電子機器１０に組み込んだボックススピーカ１５の外観の構成を示す図であり、同図（Ａ）は全体斜視図、同図（Ｂ）は正面図、同図（Ｃ）は右側面図、同図（Ｄ）は裏面図、同図（Ｅ）は上面図。
【図３】前記電子機器１０をボックススピーカ１５の位置で左右方向に断面にして示す図であり、同図（Ａ）は図１に示す電子機器１０のＡ−Ａ線断面図、同図（Ｂ）は図１に示す電子機器１０のＡ´−Ａ´線断面図。
【図４】前記電子機器１０をボックススピーカ１５の位置で上下方向に断面にして示す図であり、同図（Ａ）は図１に示す電子機器１０のＢ−Ｂ線断面図、同図（Ｂ）は図１に示す電子機器１０のＢ´−Ｂ´線断面図、同図（Ｃ）は図１に示す電子機器１０のＢ´´−Ｂ´´線断面図、同図（Ｄ）は同図（Ａ）の部分Ｐの拡大図。
【図５】前記電子機器１０のボックススピーカ１５による音響特性の評価結果を示す図。
【発明を実施するための形態】
【０００８】
以下図面により本発明の実施の形態について説明する。
【０００９】
図１は、本発明の実施形態に係るスピーカ装置を備えた電子機器１０の外観の構成を示す図であり、同図（Ａ）は電子機器１０の完成した状態の正面図、同図（Ｂ）は電子機器１０のベゼル部品１６を外した状態の正面図である。
【００１０】
電子機器１０の本体は、例えば、縦６０ｍｍ×横１００ｍｍ×高さ１０ｍｍ程度の長方形で平板状の機器筐体に納めて構成し、当該機器筐体の主要部は、上ケース１１と下ケース１２とを重ね合わせ係合して構成する。
【００１１】
図１（Ｂ）に示すように、上ケース１１は、その左右端の辺と下端の辺を構成する枠部１１ａ、当該枠部１１ａに囲まれて背面方向に凹部となるＬＣＤ装着部１１ｂ、当該ＬＣＤ装着部１１ｂの右端に沿って開けられた配線孔１１ｂ、上端の辺を構成する上枠部１１ｃを有する。
【００１２】
ＬＣＤ装着部１１ｂには、ＬＣＤ１３とタッチパネル１４とを重ねて組み込み、上枠部１１ｃには、ボックススピーカ１５を組み込む。
【００１３】
前記ボックススピーカ１５は、その正面の下端に沿って形成された２本の放音スリット１５Ｌ，１５Ｒを有し、当該放音スリット１５Ｌ，１５Ｒを通して音波を放出する。
【００１４】
また、前記ボックススピーカ１５は、その左右両端に、前記放音スリット１５Ｌ，１５Ｒを形成した正面中央部より低くなる段差部１５Ｄ１，１５Ｄ２（図２参照）を有し、当該段差部１５Ｄ１，１５Ｄ２を前記上ケース１１における上枠部１１ｃの裏面に突出して設けたスピーカ抑え部１１ｐ１，１１ｐ２に突き当てて組み込むことで、前記放音スリット１５Ｌ，１５Ｒのある正面中央部の高さを、前記上ケース１１における上枠部１１ｃの正面の高さよりも低くなるように規制する。
【００１５】
そして、前記ボックススピーカ１５を組み込んだ上ケース１１の上枠部１１ｃには、機器筐体の上端から前記ＬＣＤ１３およびタッチパネル１４の上端の一部分までを覆うように形成したベゼル部品１６を係合して設ける。このベゼル部品１６は、前記ボックススピーカ１５の正面に対向する面に多数の放音孔１６ａ…形成した放音領域を有し、ボックススピーカ１５の放音スリット１５Ｌ，１５Ｒから放出された音波を当該放音孔１６ａ…を通して外部に導出する。
【００１６】
前記ボックススピーカ１５の放音スリット１５Ｌ，１５Ｒのある正面の高さは、前記上ケース１１における上枠部１１ｃの正面の高さよりも低くなるように規制しているので、前記ボックススピーカ１５の正面と前記ベゼル部品１６の裏面との間に隙間ｄが形成された状態に保持され（図４（Ｄ）参照）、当該ボックススピーカ１５からの音波の放出が前記ベゼル部品１６の放音孔１６ａ…から効率良く行なわれると共に、同ボックススピーカ１５からの音波の放出に伴う振動が前記ベゼル部品１６に伝わらずにビビリ音の発生を防止し、音質の劣化を抑制できる。
【００１７】
図２は、前記電子機器１０に組み込んだボックススピーカ１５の外観の構成を示す図であり、同図（Ａ）は全体斜視図、同図（Ｂ）は正面図、同図（Ｃ）は右側面図、同図（Ｄ）は裏面図、同図（Ｅ）は上面図である。
【００１８】
ボックススピーカ１５は、例えば、縦５ｍｍ×横３０ｍｍ×高さ８ｍｍ程度の小型サイズで、図２（Ｅ）に示す上面側または下面側から見た外形が左右に段差部１５Ｄ１，１５Ｄ２を形成した逆Ｔ字状の筐体を有し、図２（Ａ）（Ｂ）に示すように、その正面板１５Ｆの下端には、下面板１５Ｂに沿って左右に２つに分割した幅１ｍｍ程度の放音スリット１５Ｌ，１５Ｒを設ける。
【００１９】
ボックススピーカ１５に内蔵する２つの同一仕様のスピーカ１９Ｌ，１９Ｒ（図３，図４にて後述）が発生する各音波ＳＬ，ＳＲのうち、音波ＳＬは放音スリット１５Ｌを介して放出され、音波ＳＲは放音スリット１５Ｒを介して放出される。
【００２０】
なお、図２（Ａ）（Ｅ）に示すように、前記ボックススピーカ１５の上面板１５Ｕには、その左右の前記段差部１５Ｄ１，１５Ｄ２に対応する位置に、内蔵のスピーカ１９Ｌ，１９Ｒにそれぞれ接続する配線を各々通すためのスピーカ配線孔１５Ｈ１，１５Ｈ２を設ける。
【００２１】
図３は、前記電子機器１０をボックススピーカ１５の位置で左右方向に断面にして示す図であり、同図（Ａ）は図１に示す電子機器１０のＡ−Ａ線断面図、同図（Ｂ）は図１に示す電子機器１０のＡ´−Ａ´線断面図である。
【００２２】
図４は、前記電子機器１０をボックススピーカ１５の位置で上下方向に断面にして示す図であり、同図（Ａ）は図１に示す電子機器１０のＢ−Ｂ線断面図、同図（Ｂ）は図１に示す電子機器１０のＢ´−Ｂ´線断面図、同図（Ｃ）は図１に示す電子機器１０のＢ´´−Ｂ´´線断面図、同図（Ｄ）は同図（Ａ）の部分Ｐの拡大図である。
【００２３】
前記電子機器１０の機器筐体は、前記下ケース１２の内側に沿った状態で設けられる内部ケース１７を有し、また、前記上ケース１１におけるＬＣＤ装着部１１ｂの裏面下には、回路基板１８が配置される。
【００２４】
前記ボックススピーカ１５は、電子機器１０の機器筐体に対し、その左右方向の位置を、図３（Ａ）に示すように、上ケース１１の内側に突出させた上位置決め部１１ｓ１と１１ｓ２とにより挟んだ状態で位置決めし、また、図３（Ｂ）に示すように、内部ケース１７の内側に突出させた下位置決め部１７ｓ１と１７ｓ２とにより挟んだ状態で位置決めする。
【００２５】
また、ボックススピーカ１５は、機器筐体に対し、その上面板１５Ｕ側の位置を、図４（Ａ）（Ｄ）に示すように、機器筐体の上部に回り込んだ上ケース１１から内側に突出させた突起部１１ｅに突き当てて位置決めし、また、その下面板１５Ｂの位置を、図４（Ａ）〜（Ｄ）に示すように、前記上ケース１１におけるＬＣＤ装着部１１ｂの上部壁１１ｂａに突き当てて位置決めする。
【００２６】
そして、ボックススピーカ１５は、図３（Ａ）（Ｂ）および図４（Ｃ）に示すように、その正面左右の段差部１５Ｄ１，１５Ｄ２を、前記上ケース１１の裏側に突出させたスピーカ抑え部１１ｐ１，１１ｐ２に突き当てて前記内部ケース１７との間に挟み込むように組み込む。
【００２７】
この際、前述したように、前記ボックススピーカ１５の正面左右の段差部１５Ｄ１，１５Ｄ２を、前記上ケース１１の裏側のスピーカ抑え部１１ｐ１，１１ｐ２に突き当てて抑え込むことで、当該ボックススピーカ１５の正面板１５Ｆの高さを、前記上ケース１１における上枠部１１ｃの高さよりも低くなるように規制し、当該ボックススピーカ１５が電子機器１０に組み込まれた状態では、図４（Ｄ）に示すように、同ボックススピーカ１５の正面板１５Ｆの表面と機器筐体の上部を覆うベゼル部品１６の裏面との間に隙間ｄが形成されている。
【００２８】
次に、前記ボックススピーカ１５の内部の構造について説明する。
【００２９】
前記ボックススピーカ１５には、複数（ここでは２個）のスピーカ１９Ｌ，１９Ｒを組み込んで内蔵させる。
【００３０】
前記ボックススピーカ１５の左右方向の中央には、当該ボックススピーカ１５の内部空間を左右に分割する隔壁２１を設け、また正面板１５Ｆには、各放音スリット１５Ｌ，１５Ｒの隙間に沿って下面板１５Ｂと平行に所定の幅で垂下するスリット壁２２Ｌ，２２Ｒを設ける。
【００３１】
また、前記ボックススピーカ１５における下面板１５Ｂの内側の面には、前記正面板１５Ｆとその左右の段差部１５Ｄ１，１５Ｄ２との境界に対応する位置に、少なくとも前記スリット壁２２Ｌ，２２Ｒに到達する高さで仕切部２３Ｌ，２３Ｒを設ける。
【００３２】
そして、前記各スリット壁２２Ｌ，２２Ｒの内面側の下端と、前記各仕切部２３Ｌ，２３Ｒと、当該ボックススピーカ１５の底板の内面と、前記中央の隔壁２１の側面とに渡って、前記下面板１５Ｂから均等の高さで環状に連続する断面Ｌ字状のスピーカ取付段差部２４Ｌ，２４Ｒを設ける。
【００３３】
このスピーカ取付段差部２４Ｌ，２４Ｒに対して、それぞれ、前記スピーカ１９Ｌ，１９Ｒの正面（振動板の前面側）の外周を囲むＬ字状外枠部１９Ｆを係合させて接着等により固着し、当該スピーカ１９Ｌ，１９Ｒの後側を上面板１５Ｕにより閉塞する。
【００３４】
これにより、スピーカ１９Ｌ，１９Ｒそれぞれの前側の空間と後側の空間とは隔離され、且つ、当該スピーカ１９Ｌの前側空間２０Ｌとスピーカ１９Ｒの前側空間２０Ｒとは、前記隔壁２１により隔離される。
【００３５】
そして、前記各スピーカ１９Ｌ，１９Ｒの振動板からその前側方向に出力された音波ＳＬ，ＳＲは、それぞれ、前記前側空間２０Ｌ，２０Ｒを導音路として伝搬し、各対応する放音スリット１５Ｌ，１５Ｒから放出される。この際、当該各スピーカ１９Ｌ，１９Ｒの振動板からその略法線方向に出力された音波ＳＬ，ＳＲは、それぞれその導音路（２０Ｌ，２０Ｒ）において、ボックススピーカ１５の下面板１５Ｂに沿って略垂直に放音スリット１５Ｌ，１５Ｒの方向に導かれて放出される。
【００３６】
このように、スピーカ１９Ｌ，１９Ｒから出力された音波ＳＬ，ＳＲを、当該スピーカ１９Ｌ，１９Ｒの正面に位置する下面板１５Ｂに沿って垂直に方向転換して放音スリット１５Ｌ，１５Ｒから放出させる。このように、進行方向を９０°転換させるように音波が進行した場合、周波数帯域が高い音ほど、指向性が高いので、進行方向の転換に伴う減衰が大きい。このため、スピーカ１９Ｌ，１９Ｒから出力される音声は、周波数帯域が比較的高い音は減衰が比較的大きいため音圧が比較的小さくなり、かつ、周波数帯域が比較的低い音は減衰が比較的小さいため音圧が比較的大きくなる。結果的に、スピーカ１９Ｌ，１９Ｒの振動板から放出された直後の音に比べて、低音が強調された音声が、スピーカ１９Ｌ，１９Ｒから出力される。
【００３７】
また、図３（Ｂ）および図４（Ｂ）に示すように、前記スピーカ１９Ｌの後側空間（共鳴空間）２５Ｌとスピーカ１９Ｒの後側空間（共鳴空間）２５Ｒとは、前記隔壁２１により仕切られているが、当該隔壁２１の前記ボックススピーカ１５の前面板１５Ｕに沿った位置に設けた連通孔２１ｈにより、一部連通した状態とされる。
【００３８】
図５は、前記電子機器１０のボックススピーカ１５による音響特性の評価結果を示す図である。
【００３９】
図５の「一部共有」とは、前記実施形態で構成したボックススピーカ１５におけるスピーカ１９Ｌの後側空間２５Ｌとスピーカ１９Ｒの後側空間２５Ｒとの間に、前記連通孔２１ｈを設けた隔壁２１を介在させることにより、各スピーカ１９Ｌ，１９Ｒの後側空間２５Ｌ，２５Ｒを一部のみ連通して共有した状態（一部共有）での音響特性の結果である。これに対して、「共有」は、スピーカ１９Ｌの後側空間２５Ｌとスピーカ１９Ｒの後側空間２５Ｒとの間に当該隔壁２１を設けない共有状態での音響特性の結果であり、「隔離」は、スピーカ１９Ｌの後側空間２５Ｌとスピーカ１９Ｒの後側空間２５Ｒとの間に前記連通孔２１ｈが設けられていない隔壁を介在させて、２つの後側空間２５Ｌ、２５Ｒを完全に隔離した状態での音響特性の結果である。
【００４０】
前記音響特性の評価結果は、音圧と音質の総合的な評価結果である。以下、各評価結果について詳しく説明する。
【００４１】
「共有」の場合、各スピーカ１９Ｌ，１９Ｒの後側空間２５Ｌ，２５Ｒの間に隔壁２１が介在せず、各スピーカ１９Ｌ，１９Ｒの後側空間２５Ｌ，２５Ｒが完全に共有されたことによって、当該各スピーカ１９Ｌ，１９Ｒの振動板の振幅を大きくして音圧を向上できた結果、１０００Ｈｚより高い周波数帯域において、「隔離」および「一部共有」よりも高評価であった。その反面、内部共振が発生し音の再現性（音質）が低下したため、３００Ｈｚより高くかつ１０００Ｈｚ以下の周波数帯域において、「隔離」および「一部共有」よりも低評価であった。
【００４２】
「隔離」の場合、各スピーカ１９Ｌ，１９Ｒの後側空間２５Ｌ，２５Ｒを、連通孔２１ｈを設けない隔壁により隔離したことによって、内部共振が抑制され音の再現性（音質）を向上できた結果、５００Ｈｚから１０００Ｈｚにおいて、「共有」よりも高評価であった。その反面、当該各スピーカ１９Ｌ，１９Ｒの振動板の十分な振幅が得られず音圧が低下したため、５００Ｈｚから８００Ｈｚ、および、１０００Ｈｚから２０００Ｈｚにおいて、「一部共有」よりも低評価であった。
【００４３】
本実施形態のボックススピーカ１５の構造である「一部共有」の場合、スピーカ１９Ｌの後側空間２５Ｌとスピーカ１９Ｒの後側空間２５Ｒとの間に、前記連通孔２１ｈを設けた隔壁２１を介在させて、各スピーカ１９Ｌ，１９Ｒの後側空間２５Ｌ，２５Ｒを一部だけ共有する状態にして分割したことによって、３００Ｈｚ付近から２０００Ｈｚ付近までの周波数帯域Ｘにおいて、音圧と音質の両面においてバランスよく良好な評価結果を得ることができた。したがって、ボックススピーカ１５を「一部共有」の構造にすることによって、「共有」や「隔離」に比べて、人の声を聞きやすくすることができたと言える。例えば、電子辞書のように人の声を聞きやすいことが好ましい機器においては、本実施形態のボックススピーカ１５の構造が有効であることがわかった。
【００４４】
前記構成のボックススピーカ１５によれば、筐体の内部に２つの同一仕様のスピーカ１９Ｌ，１９Ｒを、その各振動板が同一平面内で同じ向きになるよう配置し、各スピーカ１９Ｌ，１９Ｒの前側空間２０Ｌ，２０Ｒと後側空間２５Ｌ，２５Ｒとを隔離する。また、前記各スピーカ１９Ｌと１９Ｒの間には、当該各スピーカ１９Ｌ，１９Ｒの法線方向に平行な隔壁２１を設け、スピーカ１９Ｌの前側空間２０Ｌとスピーカ１９Ｒの前側空間２０Ｒとを同容量で隔離し、スピーカ１９Ｌの後側空間２５Ｌとスピーカ１９Ｒの後側空間２５Ｒとを同容量で分割する。
【００４５】
即ち、前記ボックススピーカ１５は、複数のスピーカ１９Ｌ，１９Ｒと、前記複数のスピーカ１９Ｌ，１９Ｒ間に設けられた隔壁２１と、前記複数のスピーカ１９Ｌ，１９Ｒおよび前記隔壁２１を収容する筐体と、を備え、前記複数のスピーカ１９Ｌ，１９Ｒは、前記筐体内において、各スピーカ１９Ｌ，１９Ｒの前面が同じ向きを向くように収容され、前記各スピーカ１９Ｌ，１９Ｒの前側に位置する各前側空間と、前記各スピーカ１９Ｌ，１９Ｒの後側に位置する各後側空間とは、互いに隔離されており、前記複数のスピーカ１９Ｌ，１９Ｒの各前側空間は、互いに隔離されており、前記複数のスピーカ１９Ｌ，１９Ｒの各後側空間は、前記隔壁２１により互いに分割されるとともに、前記隔壁２１に設けられた連通孔２１により隣り合う後側空間同士が互いに連通されており、前記複数のスピーカ１９Ｌ，１９Ｒの各前側空間の一部を画定する前記筐体の壁面には、前記複数のスピーカ１９Ｌ，１９Ｒの各前側空間と前記筐体の外部空間とを連通する放音スリット１５．１５Ｒが設けられている。
【００４６】
そして、前記各スピーカ１９Ｌ，１９Ｒの前側空間２０Ｌ，２０Ｒを構成する筐体の壁面のうち、当該各スピーカ１９Ｌ，１９Ｒの振動板の法線方向に対し法線方向が交差する壁面（即ち、当該各スピーカ１９Ｌ，１９Ｒの振動板の法線方向に対し垂直な方向に位置する壁面（ここでは正面板１５Ｆ））に、当該前側空間２０Ｌ，２０Ｒをそれぞれ導音路として音波ＳＬ，ＳＲを放出する放音スリット１５Ｌ，１５Ｒを設ける。
【００４７】
更に、前記スピーカ１９Ｌの後側空間２５Ｌとスピーカ１９Ｒの後側空間２５Ｒとを分割する前記隔壁２１の一部に連通孔２１ｈを設け、当該各後側空間２５Ｌ、２５Ｒを一部共有する共鳴空間とする。
【００４８】
このように、各スピーカ１９Ｌ，１９Ｒの後側空間２５Ｌ，２５Ｒを、隔壁２１に設けた連通孔２１ｈにより一部共有の共鳴空間とすることで、音圧の向上が図れるのと共に、内部共振の発生を抑制して音の再現性（音質）を向上できる。
【００４９】
また、各スピーカ１９Ｌ，１９Ｒから出力された音波ＳＬ，ＳＲを、その導音路である前側空間２０Ｌ，２０Ｒにて垂直に方向転換して放音スリット１５Ｌ，１５Ｒから放出させることで、スピーカ１９Ｌ，１９Ｒの振動板から放出された直後の音に比べて、低音が強調された音声が、スピーカ１９Ｌ，１９Ｒから出力される。
【００５０】
また、前記構成のボックススピーカ１５を組み込んだ電子機器１０によれば、ボックススピーカ１５の筐体は、その外面の一部が機器筐体の内面の一部に突き当てられることにより位置決めされて組み込まれ、当該ボックススピーカ１５の放音スリット１５Ｌ，１５Ｒを設けた正面板１５Ｆには、機器筐体の一部を覆うベゼル部材１６の複数の放音孔１６ａ…を設けた領域が対向して配置される。この場合、前記ボックススピーカ１５の左右の段差部１５Ｄ１，１５Ｄ２を、機器筐体の上ケース１１の裏側に突出して設けたスピーカ抑え部１１ｐ１，１１ｐ２により抑えて位置決めし、前記ベゼル部品１６の裏面との間に隙間ｄが形成された状態を保持することで、当該ボックススピーカ１５からの音波ＳＬ，ＳＲの放出を前記ベゼル部品１６の放音孔１６ａ…から効率良く行なうことができ、しかも、同ボックススピーカ１５からの音波ＳＬ，ＳＲの放出に伴う振動が前記ベゼル部品１６に伝わらずにビビリ音の発生を防止でき、音質を向上できる。
【００５１】
なお、前記実施形態のボックススピーカ１５は、２つのスピーカ１９Ｌ，１９Ｒを内蔵したものとして説明したが、３つの以上のスピーカを内蔵しても、前記実施形態と同様の構成とすることで、同様の効果が得られるのは勿論である。
【００５２】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００５３】
以下に、本願出願の当初の特許請求の範囲に記載された発明を付記する。
【００５４】
［１］
複数の出音要素と、前記複数の出音要素間に設けられた壁部と、前記複数の出音要素および前記壁部を収容する筐体と、を備え、
前記複数の出音要素は、前記筐体内において、各出音要素の前面が同じ向きを向くように収容され、
前記筐体内で前記各出音要素の前側に位置する各前側空間と、前記筐体内で前記各出音要素の後側に位置する各後側空間とは、互いに隔離されており、
前記複数の出音要素の各前側空間は、互いに隔離されており、
前記複数の出音要素の各後側空間は、前記壁部により互いに分割されるとともに、前記壁部に設けられた連通部により隣り合う後側空間同士が互いに連通されており、
前記複数の出音要素の各前側空間の一部を画定する前記筐体の壁面には、前記複数の出音要素の各前側空間と前記筐体の外部空間とを連通する第１放音部が設けられている、
ことを特徴とするスピーカ装置。
【００５５】
［２］
前記壁部は、前記複数の出音要素に対応する各後側空間が互いに同じ容積になるように分割する位置に設けられている、
ことを特徴とする［１］に記載のスピーカ装置。
【００５６】
［３］
前記第１放音部は、前記複数の出音要素の各前側空間の一部を画定する前記筐体の壁面のうち、前記各出音要素の前面の法線方向に対し法線方向が交差する壁面に設けられており、
前記複数の出音要素から各前側空間へ出た音は、前記各出音要素の前面の法線方向と交差する方向へ導かれてから前記第１放音部より放たれる、
ことを特徴とする［１］または［２］に記載のスピーカ装置。
【００５７】
［４］
［１］ないし［３］の何れかに記載のスピーカ装置を備えた機器。
【００５８】
［５］
前記機器の筐体は、前記スピーカ装置から出た音を放つ第２放音部が設けられた放音領域を備え、
前記スピーカ装置は、当該スピーカ装置の前記第１放音部が、前記機器の筐体の前記放音領域に対向するように、前記機器の筐体内に配置される、
ことを特徴とする［４］に記載のスピーカ装置を備えた機器。
【００５９】
［６］
前記スピーカ装置は、前記機器の筐体内において、当該スピーカ装置の筐体の外面のうち前記第１放音部が設けられた部分を除くいずれかの部分が、前記機器の筐体の内面の一部に突き当てられることにより、位置合わせされている、
ことを特徴とする［５］に記載のスピーカ装置を備えた機器。
【００６０】
［７］
前記スピーカ装置は、前記機器の筐体内において、当該スピーカ装置の筐体の外面のうち前記第１放音部が設けられた部分を除くいずれかの部分が、前記機器の筐体の内面の一部に突き当てられることにより、当該スピーカ装置の前記第１放音部が設けられた面と、前記機器の筐体の放音領域のある筐体面との間に隙間が形成された状態が保持されるように、位置合わせされている、
ことを特徴とする［６］に記載のスピーカ装置を備えた機器。
【符号の説明】
【００６１】
１０  …電子機器
１１  …上ケース
１１ｂ…ＬＣＤ装着部
１１ｂａ…ＬＣＤ装着部の上部壁
１１ｐ１，１１ｐ２…スピーカ抑え部
１１ｓ１，１１ｓ２…上位置決め部
１２  …下ケース
１３  …ＬＣＤ
１４  …タッチパネル
１５  …ボックススピーカ
１５Ｌ，１５Ｒ…放音スリット（第１放音部）
１５Ｄ１，１５Ｄ２…段差部
１６  …ベゼル部品
１６ａ…放音孔（第２放音部）
１７  …内部ケース
１７ｓ１，１７ｓ２…下位置決め部
１８  …回路基板
１９Ｌ，１９Ｒ…スピーカ
１９Ｆ…Ｌ字状外枠部
２０Ｌ，２０Ｒ…前側空間（導音路）
２１  …スピーカ間の隔壁（壁部）
２１ｈ…連通孔（連通部）
２２Ｌ，２２Ｒ…スリット壁
２３Ｌ，２３Ｒ…仕切部
２４Ｌ，２４Ｒ…スピーカ取付段差部
２５Ｌ，２５Ｒ…後側空間（共鳴空間）
ＳＬ，ＳＲ…音波
【図１】
2019057808.tif 000003
【図２】
2019057808.tif 000004
【図３】
2019057808.tif 000005
【図４】
2019057808.tif 000006
【図５】
2019057808.tif 000007